(57)【要約】【課題】  特定のアドレスから送信された電子メールを高い精度で受信者の意図に沿うように複数のグループに分類することが可能な受信メール管理装置および受信メール管理方法を提供する。【解決手段】  グループ分け情報記録部１１４には、ユーザーにより設定された、複数のメールアドレスのそれぞれに複数種類のグループ情報が関連づけてあるグループ分け情報が記録される。ユーザーは、キー１１０を操作することによって、所望のグループ番号を指定する。プロセッサ１０２は、ユーザーにより選択されたグループ情報と関連付けられているＥメールアドレスをアドレス帳記録部１０６からピックアップし、ピックアップしたＥメールアドレスを持つ受信メールのみを受信メール記録部１０７から抽出する。プロセッサ１０２は、抽出した受信メールの一覧を、表示部１１３に表示させる。【選択図】      図１
2005209106.tif 000002
【特許請求の範囲】
【請求項１】
ユーザーにより設定された、複数のメールアドレスのそれぞれに複数種類のグループ情報が関連づけてあるグループ分け情報を記録する記録部と、
送信側のメールアドレスを含む電子メールを受信する受信部と、
前記受信部が受信した電子メールを順次記録する受信メール記録部と、
前記複数種類のグループ情報の中からユーザーにより選択された任意のグループ情報を受け付ける入力部と、
前記任意のグループ情報に関連づけられているメールアドレスを含む電子メールを前記受信メール記録部から抽出する受信メール抽出部と、
前記受信メール抽出部によって抽出された電子メールを表示する表示部とを含む携帯通信端末。
【請求項２】
請求項１に記載の携帯通信端末において、
前記記録部は、前記ユーザーにより設定された、メールアドレスおよびキーワードとの組合せに対して複数種類のグループ情報を関連づけたグループ分け情報を記録し、
前記受信メール抽出部は、前記任意のグループ情報に関連づけられているメールアドレスおよびキーワードとを含む電子メールを前記受信メール記録部から抽出する、携帯通信端末。
【請求項３】
請求項１または２に記載の携帯通信端末において、
前記複数種類のグループ情報のそれぞれは、互いに異なる記号である、携帯通信端末。
【請求項４】
請求項３に記載の携帯通信端末において、
前記互いに異なる記号は、互いに異なる番号である、携帯通信端末。
【請求項５】
携帯通信端末が行う受信メール管理方法であって、
ユーザーにより設定された、複数のメールアドレスのそれぞれに複数種類のグループ情報が関連づけてあるグループ分け情報を記録部に記録する記録ステップと、
送信側のメールアドレスを含む電子メールを受信する受信ステップと、
前記受信ステップで受信した電子メールを受信メール記録部に順次記録する受信メール記録ステップと、
前記複数種類のグループ情報の中からユーザーにより選択された任意のグループ情報を受け付ける受付ステップと、
前記任意のグループ情報に関連づけられているメールアドレスを含む電子メールを前記受信メール記録部から抽出する受信メール抽出ステップと、
前記受信メール抽出ステップで抽出された電子メールを表示する表示ステップとを含む受信メール管理方法。
【請求項６】
請求項３に記載の受信メール管理方法において、
前記記録ステップは、前記ユーザーにより設定された、メールアドレスおよびキーワードとの組合せに対して複数種類のグループ情報を関連づけたグループ分け情報を前記記録部に記録し、
前記受信メール抽出ステップは、前記任意のグループ情報に関連づけられているメールアドレスおよびキーワードとを含む電子メールを前記受信メール記録部から抽出する、受信メール管理方法。
【請求項７】
請求項５または６に記載の受信メール管理方法において、
前記複数種類のグループ情報のそれぞれは、互いに異なる記号である、受信メール管理方法。
【請求項８】
請求項７に記載の受信メール管理方法において、
前記互いに異なる記号は、互いに異なる番号である、受信メール管理方法。
【請求項９】
ユーザーにより設定された、複数のメールアドレスのそれぞれに複数種類のグループ情報が関連づけてあるグループ分け情報を記録部に記録する記録処理と、
送信側のメールアドレスを含む電子メールを受信部に受信させる受信処理と、
前記受信処理で受信した電子メールを受信メール記録部に順次記録する受信メール記録処理と、
前記複数種類のグループ情報の中からユーザーによって選択された任意のグループ情報を受け付ける受付処理と、
前記任意のグループ情報に関連づけられているメールアドレスを含む電子メールを前記受信メール記録部から抽出する受信メール抽出処理と、
前記受信メール抽出処理で抽出された電子メールを表示部に表示させる表示処理とを含む受信メール管理処理を、コンピュータに実行させるプログラム。
【請求項１０】
請求項９に記載のプログラムにおいて、
前記記録処理は、前記ユーザーにより設定された、メールアドレスおよびキーワードとの組合せに対して複数種類のグループ情報を関連づけたグループ分け情報を前記記録部に記録し、
前記受信メール抽出処理は、前記任意のグループ情報に関連づけられているメールアドレスおよびキーワードとを含む電子メールを前記受信メール記録部から抽出する、プログラム。
【請求項１１】
請求項９に記載のプログラムまたは請求項１０に記載のプログラムを記録してあるコンピュータ読み取り可能な記録媒体。
【発明の詳細な説明】
【技術分野】
【０００１】
本発明は、携帯通信端末、受信メール管理方法、プログラムおよび記録媒体に関する。
【背景技術】
【０００２】
従来、受信した電子メール（以下「受信メール」と称する。）の管理を容易にするために、受信メールを自動的にグループ別に分類する電子メール管理装置が知られている。この電子メール管理装置の利用者は、特定のグループに分類された受信メールのみを参照することによって、ずべての受信メールを参照することなく、すべての受信メールの中から同じような内容のものとして絞り込まれた受信メールのみを参照することができる。
【０００３】
受信メールを自動的にグループ別に分類する電子メール管理装置として、例えば、以下に示したものが提案されている。
【０００４】
特許文献１（特開２００１−７５８９１号公報）には、電子メールを受信した際に、受信メールの送り手のアドレスに基づいて受信メールを複数のグループの中の特定の１つのグループに自動的に分類する電子メール受信装置が記載されている。
【０００５】
また、特許文献２（特開２００２−２４４９８４号公報）には、予め記憶手段に、アドレスと任意の格納領域（グループ）とを関連づけて格納しておき、電子メールを受信した際に、受信メールを、受信メールの送り手のアドレスに関連づけられた特定の１つの格納領域（グループ）に自動的に格納するメール管理装置が記載されている。
【０００６】
また、特許文献３（特開２００３−２４２０８３号公報）には、受信メールを一覧表示する際に、受信メールの送り手のアドレスに含まれているグループ情報に基づいて受信メールを分類し、その分類結果に応じて表示の順番を並べ替えることが可能なメール管理装置が記載されている。
【０００７】
また、特許文献４（特開２００３−１９８６３３号公報）には、予め記憶手段に、グループと任意の格納領域とを関連づけて格納しておき、電子メールを受信した際に、受信メールを、受信メールが含まれるグループに関連づけられた特定の格納領域に自動的に格納する電子メールの送受信システムが記載されている。
【０００８】
なお、特許文献４に記載の電子メールの送受信システムでは、受信メールがどのグループに含まれるかの判断は、例えば、受信メールの件名または受信メールの本文中に含まれるキーワードによって判断される。
【特許文献１】特開２００１−７５８９１号公報
【特許文献２】特開２００２−２４４９８４号公報
【特許文献３】特開２００３−２４２０８３号公報
【特許文献４】特開２００３−１９８６３３号公報
【発明の開示】
【発明が解決しようとする課題】
【０００９】
特許文献１に記載の電子メール受信装置、特許文献２に記載のメール管理装置および特許文献３に記載のメール管理装置では、１つのアドレスに対して１つのグループが定義される。
【００１０】
特許文献１ないし３に記載の電子メール管理装置のように、１つのアドレスに対して１つのグループしか定義できない場合、以下のような問題が生じる。
【００１１】
同じ人または同じ電子メールアドレスからの電子メールであっても、その電子メールは、仕事の電子メールであったり、プライベートの電子メールであったりする。
【００１２】
例えば、電子メールの受信者が、受信メールを分類するためのグループとして、仕事用グループとプライベート用グループとを使用している場合、１つのアドレスに対して１つのグループしか定義できないと、同じ人の電子メールを、仕事用グループまたはプライベート用グループにしか分類できない。このため、受信メールを適確なグループに分類することが困難となる。
【００１３】
特許文献４に記載されたように、受信メールがどのグループに含まれるかの判断を、受信メールの件名または受信メールの本文中に含まれるキーワードによって判断する場合、同じ人からの電子メールを複数のグループに分類することが可能となる。
【００１４】
しかしながら、電子メールの送信者が、受信メールの件名または受信メールの本文中に、グループ分けに使用される所定の言葉（キーワード）を入れていない場合には、受信メールを適確なグループに分類することが困難となる。この場合、受信メールは、受信者の意図に沿うようにグループ分けされなくなる。
【００１５】
本発明の目的は、特定のアドレスから送信された電子メールを高い精度で受信者の意図に沿うように複数のグループに分類することが可能な受信メール管理装置および受信メール管理方法を提供することである。
【課題を解決するための手段】
【００１６】
上記の目的を達成するために、本発明の携帯通信端末は、ユーザーにより設定された、複数のメールアドレスのそれぞれに複数種類のグループ情報が関連づけてあるグループ分け情報を記録する記録部と、送信側のメールアドレスを含む電子メールを受信する受信部と、前記受信部が受信した電子メールを順次記録する受信メール記録部と、前記複数種類のグループ情報の中からユーザーにより選択された任意のグループ情報を受け付ける入力部と、前記任意のグループ情報に関連づけられているメールアドレスを含む電子メールを前記受信メール記録部から抽出する受信メール抽出部と、前記受信メール抽出部によって抽出された電子メールを表示する表示部とを含む。
【００１７】
また、本発明の受信メール管理方法は、携帯通信端末が行う受信メール管理方法であって、ユーザーにより設定された、複数のメールアドレスのそれぞれに複数種類のグループ情報が関連づけてあるグループ分け情報を記録部に記録する記録ステップと、送信側のメールアドレスを含む電子メールを受信する受信ステップと、前記受信ステップで受信した電子メールを受信メール記録部に順次記録する受信メール記録ステップと、前記複数種類のグループ情報の中からユーザーにより選択された任意のグループ情報を受け付ける受付ステップと、前記任意のグループ情報に関連づけられているメールアドレスを含む電子メールを前記受信メール記録部から抽出する受信メール抽出ステップと、前記受信メール抽出ステップで抽出された電子メールを表示する表示ステップとを含む。
【００１８】
上記の発明によれば、ユーザーにより設定された、複数のメールアドレスのそれぞれに複数種類のグループ情報が関連づけてあるグループ分け情報が記録部に記録され、ユーザーによって選択された任意のグループ情報に関連づけられているメールアドレスを含む電子メールが受信メール記録部から抽出される。
【００１９】
ユーザーが、自らの意図に沿うように、複数のメールアドレスのそれぞれに複数種類のグループ情報を関連づけることによって、特定のアドレスから送信された電子メールを高い精度で受信者の意図に沿うように複数のグループに分類することが可能になる。したがって、受信メール記録部に記録された電子メールを複数の視点で絞り込むことが可能となる。
【００２０】
また、従来のように受信メールをグループごとに規定された格納領域に格納する必要がなくなるので、グループ設定の変更または追加を行う際に、受信メールの格納領域を変更するという煩わしい作業を不要にすることが可能となる。
【００２１】
また、１つの受信メールが複数のグループに分類されるような場合、従来の技術を利用すると、１つの受信メールはグループ別に設定された複数の格納領域に格納される。このため、従来の技術では、１つの電子メールを受信した際、受信した電子メールのコピーを複数作成し、それら複数の電子メールを格納領域に格納しなければならず、受信メールの格納効率が悪くなってしまうという問題があった。
【００２２】
本発明によれば、１つの受信メールが複数のグループに分類されるような場合でも、１つの受信メールのコピーを作成するとともにそのコピーまで格納する必要はなくなる。したがって、受信メールの格納効率が悪くなってしまうことを防止することが可能となる。
【００２３】
また、上記携帯通信端末において、前記記録部は、前記ユーザーにより設定された、メールアドレスおよびキーワードとの組合せに対して複数種類のグループ情報を関連づけたグループ分け情報を記録し、前記受信メール抽出部は、前記任意のグループ情報に関連づけられているメールアドレスおよびキーワードとを含む電子メールを前記受信メール記録部から抽出することが望ましい。
【００２４】
また、上記受信メール管理方法において、前記記録ステップは、前記ユーザーにより設定された、メールアドレスおよびキーワードとの組合せに対して複数種類のグループ情報を関連づけたグループ分け情報を前記記録部に記録し、前記受信メール抽出ステップは、前記任意のグループ情報に関連づけられているメールアドレスおよびキーワードとを含む電子メールを前記受信メール記録部から抽出することが望ましい。
【００２５】
上記の発明によれば、ユーザーにより設定された、メールアドレスおよびキーワードとの組合せに対して複数種類のグループ情報を関連づけたグループ分け情報が記録部に記録される。このため、受信メールをより細かくグループ分けすることが可能となり、ユーザーの意図に沿った受信メールの絞込みを高い精度で行うことが可能となる。
【００２６】
また、上記携帯通信端末において、前記複数種類のグループ情報のそれぞれは、互いに異なる記号であることが望ましい。
【００２７】
また、上記受信メール管理方法において、前記複数種類のグループ情報のそれぞれは、互いに異なる記号であることが望ましい。
【００２８】
上記の発明によれば、複数種類のグループ情報のそれぞれが互いに異なる記号となるので、例えば、グループ情報の設定または指定を容易にすることが可能となる。
【００２９】
また、上記携帯通信端末において、前記互いに異なる記号は、互いに異なる番号であることが望ましい。
【００３０】
また、上記受信メール管理方法において、前記互いに異なる記号は、互いに異なる番号であることが望ましい。
【００３１】
上記の発明によれば、複数種類のグループ情報のそれぞれが互いに異なる番号となるので、例えば、グループ情報の設定または指定を容易にすることが可能となる。
【００３２】
また、本発明のプログラムは、ユーザーにより設定された、複数のメールアドレスのそれぞれに複数種類のグループ情報が関連づけてあるグループ分け情報を記録部に記録する記録処理と、送信側のメールアドレスを含む電子メールを受信部に受信させる受信処理と、前記受信処理で受信した電子メールを受信メール記録部に順次記録する受信メール記録処理と、前記複数種類のグループ情報の中からユーザーによって選択された任意のグループ情報を受け付ける受付処理と、前記任意のグループ情報に関連づけられているメールアドレスを含む電子メールを前記受信メール記録部から抽出する受信メール抽出処理と、前記受信メール抽出処理で抽出された電子メールを表示部に表示させる表示処理とを含む受信メール管理処理を、コンピュータに実行させる。
【００３３】
また、上記プログラムにおいて、前記記録処理は、前記ユーザーにより設定された、メールアドレスおよびキーワードとの組合せに対して複数種類のグループ情報を関連づけたグループ分け情報を前記記録部に記録し、前記受信メール抽出処理は、前記任意のグループ情報に関連づけられているメールアドレスおよびキーワードとを含む電子メールを前記受信メール記録部から抽出することが望ましい。
【００３４】
また、本発明の記録媒体は、上記プログラムを記録してあるコンピュータ読み取り可能な記録媒体である。
【００３５】
本発明のプログラムおよび本発明の記録媒体によれば、上記受信メール管理方法をコンピュータに実行させることが可能になる。
【発明の効果】
【００３６】
本発明によれば、ユーザーにより設定された、複数のメールアドレスのそれぞれに複数種類のグループ情報が関連づけてあるグループ分け情報が記録部に記録され、ユーザーによって選択された任意のグループ情報に関連づけられているメールアドレスを含む電子メールが受信メール記録部から抽出される。
【００３７】
ユーザーが、自らの意図に沿うように、複数のメールアドレスのそれぞれに複数種類のグループ情報を関連づけることによって、特定のアドレスから送信された電子メールを高い精度で受信者の意図に沿うように複数のグループに分類することが可能になる。したがって、受信メール記録部に記録された電子メールを複数の視点で絞り込むことが可能となる。
【００３８】
また、従来のように、受信メールをグループごとに規定された格納領域に格納しなくて済むので、グループ設定の変更または追加を行っても、受信メールの格納領域を変更するという煩わしい作業を不要にすることが可能となる。
【発明を実施するための最良の形態】
【００３９】
以下、本発明の一実施例を図面を参照して説明する。
【００４０】
図１は、本発明の一実施例の電子メール送受信機能付き携帯通信端末を示したブロック図である。なお、携帯通信端末は、例えば、電子メール送受信機能付き携帯電話機でもよく、電子メール送受信機能付きＰＤＡ（Personal Digital Assistance）であってもよい。
【００４１】
図１において、携帯通信端末１０１は、受信メール抽出部としてのプロセッサ１０２と、プログラム記録部１０３と、メモリ１０４と、受信部としての回線接続部１０８と、キーイベント処理部１０９と、入力部としてのキー１１０と、表示部１１３とを含む。
【００４２】
メモリ１０４は、グループ情報記録部１０５と、記録部としてのアドレス帳記録部１０６と、受信メール記録部１０７と、プロセッサ１０２の作業エリア１０４ａとを含む。グループ情報記録部１０５とアドレス長記録部１０６とは、グループ分け情報記録部１１４に含まれる。
【００４３】
表示部１１３は、画像表示回路１１１と、画像表示部１１２とを含む。
【００４４】
プログラム記録部１０３は、コンピュータによって読み取り可能な記録媒体である。プログラム記録部１０３には、携帯通信端末１０１の動作を規定するプログラム１０３ａが記録されている。
【００４５】
回線接続部１０８は、プロセッサ１０２に制御されることによって、電子メール（以下「Ｅメール」と称する。）の送受信を行う。
【００４６】
キー１１０は、ユーザーによって操作される。キー１１０は、ユーザーの操作によって指定された情報を受け付ける。
【００４７】
キーイベント処理部１０９は、キー１１０が受け付けた情報を示す受付情報をプロセッサ１０２に出力する。よって、プロセッサ１０２は、ユーザーによって指定された情報を受け付ける。
【００４８】
表示部１１３は、プロセッサ１０２に制御されることによって、キー１１０が受け付けた情報に応じた表示を行う。具体的には、画像表示回路１１１は、ユーザーによるキー１１０の操作にしたがって、受信メール一覧などを表示するための画像信号を生成する。また、画像表示部１１２は、画像表示回路１１１によって生成された画像信号に応じた画像を表示する。
【００４９】
メモリ１０４は、コンピュータによって読み取り可能な記録媒体である。
【００５０】
グループ分け情報記録部１１４は、ユーザーによって設定された、複数のメールアドレスのそれぞれに複数種類のグループ情報が関連づけてあるグループ分け情報を記録する。グループ分け情報記録部１１４は、グループ情報記録部１０５とアドレス情報記録部１０６とを含む。
【００５１】
グループ情報記録部１０５は、グループ情報および記号としてのグループ番号と、グループ番号の名前を示すグループ名とを関連づけてあるグループ内容情報を記録している。グループ内容情報は、ユーザーがキー１１０を操作することによって設定される。
【００５２】
図２は、グループ情報記録部１０５に記録されたグループ内容情報２０１の一例を示した説明図である。図２において、グループ内容情報２０１は、グループ番号２０２とグループ名２０３とが関連づけられている。グループ名２０３は、初期値が「グループ××（××はグループ番号）」となっており、ユーザーがキー１１０を操作して編集することにより、任意の定義名に変更される。なお、グループ名２０３は、ユーザーによって編集されない場合、初期値のままとなる。
【００５３】
グループ名２０３は、受信メールを絞り込むためのグループ情報として使用されるグループ番号２０２の名前を定義する。
【００５４】
グループ名２０３としては、図２に示したように、例えば、仕事関係であったり、大学仲間であったり、釣り仲間、飲み仲間といったような、グループを示す名前が用いられる。図２に示した例では、例えば、グループ番号「０１」には「仕事関係」というグループ名がつけられており、グループ番号「０２」には「大学仲間」というグループ名がつけられている。なお、グループ名２０３とグループ番号２０２とは１対１の対応関係になる。
【００５５】
図１に戻って、アドレス帳記録部１０６は、登録番号と、ユーザーが登録した名前と、各名前に１件ないし複数件登録したＥメールアドレスと、各Ｅメールアドレスに１件ないし複数件設定されたグループ番号とを関連づけてあるアドレス帳情報を記録している。なお、アドレス帳情報は、ユーザーがキー１１０を操作することによって設定される。
【００５６】
図３は、アドレス帳記録部１０６に記録されたアドレス帳情報３０１の一例を示した説明図である。図３において、アドレス帳情報３０１は、登録番号３０２と、ユーザーが登録した名前３０３と、各名前に１件ないし複数件登録したＥメールアドレス３０４と、各Ｅメールアドレスに１件ないし複数件設定されたグループ番号３０５とが関連づけられている。
【００５７】
アドレス帳情報３０１のグループ番号３０５に記録される各々のグループ番号（例えば、「０１」、「０４」）は、図２に示したグループ内容情報２０１に記録されているグループ番号２０２に記録されているグループ番号のいずれかとなる。なお、アドレス帳情報３０１において、グループ番号３０５は設定されていなくともよい。
【００５８】
名前３０３には、個人名または会社名など任意の名前がユーザーによって登録される。各名前３０３には、１件ないし複数件のＥメールアドレス３０４が登録できる。各Ｅメールアドレス３０４には、更に１ないし複数のグループ番号３０５を設定することができる。  プロセッサ１０２は、アドレス帳情報３０１に登録した名前３０３に対して、名前３０３の登録順に登録番号３０２を付与する。
【００５９】
図１に戻って、受信メール記録部１０７には、回線接続部１０８を介して受信されたＥメールが、プロセッサ１０２によって順次記録される。
【００６０】
図４は、受信メール記録部１０７に記録されたＥメールの一例を示した説明図である。図４において、受信メール記録部１０７には、受信メール番号４０２と、Ｅメールの受信日付４０３と、発信者のＥメールアドレス４０４と、受信メールの件名４０５と、メール本文４０６とが、Ｅメール４０１ごとに関連づけられて記録される。
【００６１】
なお、受信メールは、ユーザーによって編集されたものではなく、携帯通信端末１０１が自らと異なる通信装置から受け取ったものである。
【００６２】
発信者のＥメールアドレス４０４の一部または全ては、例えばユーザーによって、アドレス帳記録部１０６にＥメールアドレス３０４として記録される。
【００６３】
図５は、図４に示したＥメールのＥメールアドレスと、アドレス帳情報３０１に設定されているグループ番号との対応を示した説明図である。図５において、図４に示したものと同一のものには、同一符号を付してある。
【００６４】
図５において、グループ番号５０６に示された「０１」「０２」「０３」「０４」は、グループ内容情報２０１のグループ番号２０２に示した「０１」「０２」「０３」「０４」と対応する。
【００６５】
発信者のＥメールアドレス４０４に対応するグループ番号５０６の「○」は、その「○」のついているグループ番号が、アドレス帳情報３０１において、発信者のＥメールアドレスに関連づけられていることを示す。
【００６６】
図１に戻って、コンピュータであるプロセッサ１０２は、プログラム記録部１０３に記録されているプログラム１０３ａを読み取り、読み取ったプログラム１０３ａにしたがって種々の処理を実行する。
【００６７】
例えば、プロセッサ１０２は、ユーザーがキー１１０を操作することによって設定したグループ内容情報をグループ情報記録部１０５に記録する。また、プロセッサ１０２は、ユーザーがキー１１０を操作することによって設定したアドレス帳情報をアドレス帳記録部１０６に記録する。また、プロセッサ１０２は、回線接続部１０８が受信したＥメールを受信メール記録部１０７に順次記録する。
【００６８】
また、プロセッサ１０２は、ユーザーがキー１１０を操作することによって選択したグループ番号（グループ情報）を受け付ける。また、プロセッサ１０２は、ユーザーがキー１１０を操作することによって選択したグループ番号に関連づけられているメールアドレスを含むＥメールを受信メール記録部１０７から抽出する。また、プロセッサ１０２は、受信メール記録部１０７から抽出したＥメールを表示部１１３に出力する。表示部１１３は、プロセッサ１０２によって抽出されたＥメールを表示する。
【００６９】
次に、動作の概要（一例）を説明する。なお、携帯通信端末１０１が行う処理は、プロセッサ１０２がプログラム１０３ａを実行することによって行われる。
【００７０】
プロセッサ１０２は、回線接続部１０８が受信したＥメールを受信メール記録部１０７に順次記録する。
【００７１】
ユーザーは、キー１１０を操作することによって、アドレス帳記録部１０６に登録されているＥメールアドレスごとに、絞り込みのためのグループ番号（グループ情報）を１つまたは複数設定することができる。なお、名前一人に複数のＥメールアドレスが登録されている場合、ユーザーは、キー１１０を操作することによって、Ｅメールアドレスごとに１つまたは複数のグループ設定を行うことができる。
【００７２】
キーイベント処理部１０９は、ユーザーによるキー１１０の操作によって、Ｅメールアドレスごとに絞り込みのためのグループ番号が１つまたは複数設定されると、その設定内容を示したグループ分け情報をプロセッサ１０２に出力する。
【００７３】
プロセッサ１０２は、キーイベント処理部１０９から出力されたグループ分け情報をアドレス帳記録部１０５に記録する。
【００７４】
受信メール記録部１０７に記録されているＥメールの一覧表示を行う際、受信メールのグループ番号による絞込みを指示するように、キー１１０がユーザーによって操作されると、キーイベント処理部１０９は、受信メールのグループ番号による絞込みを指示する旨の情報をプロセッサ１０２に出力する。
【００７５】
プロセッサ１０２は、キーイベント処理部１０９から出力される情報が受信メールのグループ番号による絞込みを指示していると判断すると、ユーザーに任意のグループ番号を選択させることを促す表示（例えば、図２に示した表示）を表示部１１３に表示させる。
【００７６】
ユーザーは、表示部１１３に表示された表示に基づいてキー１１０を操作することによって、ユーザーが指定したいグループ番号を指定する。
【００７７】
キーイベント処理部１０９は、キー１１０の操作によって指定されたグループ番号をプロセッサ１０２に出力する。
【００７８】
プロセッサ１０２は、ユーザーにより選択されたグループ番号と関連づけられているＥメールアドレスをアドレス帳記録部１０６からピックアップし、ピックアップしたＥメールアドレスを持つ受信メールのみを受信メール記録部１０７から抽出する。
【００７９】
プロセッサ１０２は、抽出した受信メールの一覧を、画像表示回路１１１を通して画像表示部１１２に表示させる。
【００８０】
次に、動作を説明する。なお、携帯通信端末１０１が行う処理は、プロセッサ１０２がプログラム１０３ａを実行することによって行われる。
【００８１】
なお、グループ情報記録部１０５には、ユーザーによって設定されたグループ内容情報２０１として、図２に示されたグループ内容情報２０１が記録され、アドレス帳記録部１０６には、ユーザーによって設定されたアドレス帳情報３０１として、図３に示されたアドレス長情報３０１が記録され、受信メール記録部１０７には図４に示されたＥメール４０１が記録されているものとする。
【００８２】
図６は、ユーザーがキー１１０を操作することによってグループ番号を指定した場合の携帯通信端末１０１の動作を説明するためのフローチャートである。
【００８３】
さらに言えば、図６は、ユーザーによるキー１１０の操作により絞込み対象として指定されているグループ番号をSelGrpとし、アドレス帳情報３０１においてグループ番号SelGrpと関連づけられているＥメールアドレスを有するＥメールを受信メール記録部１０７から絞り込む動作を説明するためのフローチャートである。
【００８４】
以下、図６を参照して携帯通信端末１０１の動作を説明する。
【００８５】
まず、プロセッサ１０２は、チェックする受信メールの番号を指す変数ptrRcvMを初期化して１番目を指すようにする（ptrRcvM=1）（ステップ７０１）。なお、変数ptrRcvMはプロセッサ１０２によって作業エリア１０４ａに記録される。
【００８６】
次に、プロセッサ１０２は、受信メール記録部１０７に記録されているＥメールの中から、受信メール番号４０２がptrRcvMである受信メールを検出し、検出した受信メールから発信者のＥメールアドレス４０４を変数acntRcvMに取り出し（ステップ７０２）、変数acntRcvMのＥメールアドレスがアドレス帳情報３０１に登録されているかどうか調べる（ステップ７０３）。なお、変数acntRcvMはプロセッサ１０２によって作業エリア１０４ａに記録される。
【００８７】
変数acntRcvMのＥメールアドレスがアドレス帳情報３０１に存在すると、プロセッサ１０２は、変数acntRcvMのＥメールアドレスのアドレス帳情報３０１上での登録番号３０２を変数ptrAddrに登録する。なお、変数acntRcvMのＥメールアドレスがアドレス帳情報３０１に存在しない場合、プロセッサ１０２は、変数ptrAddrの値を０にする。なお、変数ptrAddrはプロセッサ１０２によって作業エリア１０４ａに記録される。
【００８８】
プロセッサ１０２は、変数ptrAddrを確認し（ステップ７０４）、変数ptrAddrの値が０以下の場合、受信メール番号４０２がptrRcvMの受信メールはユーザーによって指定されたグループSelGrpに属さない受信メールであると判断し、受信メール番号４０２がptrRcvMである受信メールの表示は行わず、次の受信メールの確認（ステップ７０９）に進む。
【００８９】
ステップ７０４において、変数ptrAddrの値が０より大きい場合、プロセッサ１０２は、変数acntRcvMと同じＥメールアドレスがアドレス帳情報３０１に登録されていると判断し、続いて、アドレス帳情報３０１において、変数acntRcvMと同じＥメールアドレスのＥメールアドレス３０４に、ユーザーによって指定されたグループ番号SelGrpと同じグループ番号が関連づけられているかどうか調べる（ステップ７０５）。
【００９０】
変数acntRcvMと同じＥメールアドレスのＥメールアドレス３０４に、ユーザーによって指定されたグループ番号SelGrpと同じグループ番号が関連づけられている場合、プロセッサ１０２は、グループ番号SelGrpと同じグループ番号を変数getGrpに登録する。なお、変数acntRcvMと同じＥメールアドレスのＥメールアドレス３０４に、ユーザーによって指定されたグループ番号SelGrpと同じグループ番号が関連づけられていない場合、プロセッサ１０２は、変数getGrpの値を０にする。なお、変数getGrpは、プロセッサ１０２によって作業エリア１０４ａに記録される。
【００９１】
続いて、プロセッサ１０２は、変数getGrpにグループ番号が登録されているか調べて（ステップ７０７）、変数getGrpにグループ番号が設定されていれば、プロセッサ１０２は、ユーザーによって指定されたグループ番号SelGrpと関連づけられたＥメールアドレス４０４を持つ受信メールとして、受信メール番号４０２がptrRcvMである受信メールを画像表示部１１２に表示する（ステップ７０８）。
【００９２】
ステップ７０７において、変数getGrpにグループ番号が登録されていなければ、プロセッサ１０２は、受信メール番号４０２がptrRcvMである受信メールはユーザーによって指定されたグループSelGrpに属さない受信メールであると判断し、受信メール番号４０２がptrRcvMである受信メールの表示を行わず、次の受信メールの確認（ステップ７０９）に進む。
【００９３】
ステップ７０９では、プロセッサ１０２は変数ptrRcvMを１つ進め、続いて、まだ受信メールが存在するか否かを、変数ptrRcvMと受信メール数NumRcvMとを比較して調べ（ステップ７１０）、まだ受信メールが存在すれば（ptrRcvM≦NumRcvMの場合）、処理をステップ７０２に戻す。なお、受信メール数NumRcvMは、プロセッサ１０２によって作業エリア１０４ａに記録されている。
【００９４】
ステップ７１０において受信メールがまだ存在する間、プロセッサ１０２は、ステップ７０２からステップ７１０の動作を繰り返す。
【００９５】
プロセッサ１０２は、受信メールをすべてチェック終わると（ステップ７１０においてptrRcvM＞NumRcvMの場合）処理を終了する。このとき、画像表示部１１２には、ユーザーが指定したグループ番号SelGrpと関連づけられたＥメールアドレスを有する受信メールだけが一覧となって表示されている。したがって、ユーザーは、自らが設定したグループ番号によって絞り込まれたＥメールのみを参照することが可能となる。
【００９６】
図７は、図６に示したステップ７０３の処理の一例を説明するためのフローチャートである。以下、図７を参照して図６に示したステップ７０３の処理の一例を説明する。
【００９７】
まず、プロセッサ１０２は、チェックするアドレス帳情報３０１の登録番号３０２を示す変数ptrAddrを初期化して１番目を示すようにする（ptrAddr=1）（ステップ８０１）。
【００９８】
次に、プロセッサ１０２は、アドレス帳情報３０１において、登録番号３０２が変数ptrAddrのＥメールアドレス３０４を変数acntAddrに取り出し（ステップ８０２）、変数acntAddrが図６のステップ７０２で受信メールから取り出したＥメールアドレスを示すacntRcvMと一致するか確認する（ステップ８０３）。なお、変数acntAddrはプロセッサ１０２によって作業エリア１０４ａに記録される。
【００９９】
ステップ８０３において、変数acntAddrが変数acntRcvMと一致すれば、プロセッサ１０２は、図６のフローに戻る。
【０１００】
ステップ８０３において、変数acntAddrが変数acntRcvMと一致しなければ、プロセッサ１０２は、次のＥメールアドレス３０４を探すため、変数ptrAddrの番号を進め（ステップ８０４）、さらに、まだアドレス帳情報３０１に登録してあるＥメールアドレス３０４があるか否かを確認するために、変数ptrAddrとアドレス帳登録数NumAddrとを比較する（ステップ８０５）。なお、アドレス帳登録数NumAddrはプロセッサ１０２によって作業エリア１０４ａに記録されている。
【０１０１】
ステップ８０５において、アドレス帳情報３０１に登録されているＥメールアドレス３０４の中でチェックすべきものがあれば（ptrAddr≦NumAddrの場合）、プロセッサ１０２は、処理をステップ８０２に戻し、上記と同様に動作する。
【０１０２】
プロセッサ１０２は、ステップ８０５においてptrAddr＞NumAddrとなると、図６のステップ７０２で取り出したＥメールアドレスと同じＥメールアドレスがアドレス帳情報３０１にないと判断し、変数ptrAddrをNULL（一致する番号のＥメールアドレスなし＝０）として（ステップ８０６）、図６に戻る。
【０１０３】
図８は、図６に示したステップ７０５の処理の一例を説明するためのフローチャートである。以下、図８を参照して図６に示したステップ７０５の処理の一例を説明する。
【０１０４】
プロセッサ１０２は、アドレス帳情報３０１において、登録番号３０２がptrAddrであるＥメールアドレス３０４に設定されているグループ番号３０５の数を変数NumGrpに取り出し（ステップ９０１）、変数NumGrpが空（=０）でないか確認する（ステップ９０２）。なお、変数NumGrpは、プロセッサ１０２によって作業エリア１０４ａに記録される。
【０１０５】
ステップ９０２において、変数NumGrpが空（=０）であると、プロセッサ１０２は、登録番号３０２がptrAddrであるＥメールアドレス３０４にはグループ番号３０５が関連づけられていないと判断し、変数getGrp＝０として（ステップ９０８）、処理を図６に戻す。
【０１０６】
ステップ９０２において、変数NumGrpが空（=０）でないと、プロセッサ１０２は、まず、チェックするグループ番号の登録順番を指す変数ptrGrpを初期化して１番目を指すようにする（ptrGrp=1）（ステップ９０３）。なお、変数ptrGrpはプロセッサ１０２によって作業エリア１０４ａに記録される。
【０１０７】
次に、プロセッサ１０２は、アドレス帳情報３０１からptrGrp番目（例えば、図３のグループ番号３０５に登録されたグループ番号の左端からの数）のグループ番号を変数getGrpに取り出し（ステップ９０４）、そのグループ番号getGrpがユーザーによって指定されたグループ番号SelGrpと一致するか確認する（ステップ９０５）。
【０１０８】
ステップ９０５において、グループ番号getGrpがグループ番号SelGrpと一致していると、プロセッサ１０２は、アドレス帳情報３０１の登録番号３０２がptrAddrのＥメールアドレス３０４に設定されているグループ番号getGrpはSelGrpと同じであると判断して、処理を図６に戻す。
【０１０９】
ステップ９０５において、グループ番号getGrpがグループ番号SelGrpと一致しなければ、プロセッサ１０２は、次に設定されているグループ番号を調べるため、変数ptrGrpの番号を１つ進め（ステップ９０６）、続いて、まだ設定してあるグループ番号があるか否かを確認するために、変数ptrGrpと設定グループ番号数NumGrpとを比較する（ステップ９０７）。なお、設定グループ番号数NumGrpは、プロセッサ１０２によって作業エリア１０４ａに記録されている。
【０１１０】
ステップ９０７において、まだ調べるべきグループ番号があれば（ptrGrp≦NumGrpの場合）、プロセッサ１０２は、処理をステップ９０４に戻し、上記と同様の動作を実行する。
【０１１１】
ステップ９０７において、ptrGrp＞NumGrpとなると、プロセッサ１０２は、グループ番号SelGrp と一致するグループ番号がなかったと判断して、変数getGrpをNULL（SelGrpと一致するグループ番号が登録されたＥメールアドレスなし=０）として（ステップ９０８）、処理を図６に戻す。
【０１１２】
図９は、表示部１１３の具体的な表示例を示した説明図である。以下、図９を参照して、具体的な表示例を説明する。
【０１１３】
例えば、ユーザーが「仕事関係」で受信メールの絞込みを行うために、図２に示したグループ内容情報２０１のグループ番号２０２において、グループ番号「０１」を選んだとする。
【０１１４】
図５に示したＥメールとグループ番号の対応図を見ると、「０１」のグループ番号と関連づけられたＥメールアドレスを含むＥメールは、４件の受信メールであることが分かる。この場合、図４に示した受信メールは、プロセッサ１０２によって絞り込まれた結果、例えば、図９（ａ）のように表示される。
【０１１５】
また、ユーザーが「大学仲間」で受信メールの絞込みを行うために、図２に示したグループ内容情報２０１のグループ番号２０２において、グループ番号「０２」を選んだとする。
【０１１６】
図５に示したＥメールとグループ番号の対応図を見ると、「０２」のグループ番号と関連づけられたＥメールアドレスを含むＥメールは、７件の受信メールであることが分かる。この場合、図４に示した受信メールは、プロセッサ１０２によって絞り込まれた結果、例えば、図９（ｂ）のように表示される。
【０１１７】
また、ユーザーが「釣り仲間」で受信メールの絞込みを行うために、図２に示したグループ内容情報２０１のグループ番号２０２において、グループ番号「０３」を選んだとする。
【０１１８】
図５に示したＥメールとグループ番号の対応図を見ると、「０３」のグループ番号と関連づけられたＥメールアドレスを含むＥメールは、５件の受信メールであることが分かる。この場合、図４の受信メールは、プロセッサ１０２によって絞り込まれた結果、例えば、図９（ｃ）のように表示される。
【０１１９】
更に、ユーザーが「飲み仲間」で受信メールの絞込みを行うために、図２に示したグループ内容情報２０１のグループ番号２０２において、グループ番号「０４」を選んだとする。
【０１２０】
図５に示したＥメールとグループ番号の対応図を見ると、「０４」のグループ番号と関連づけられているＥメールアドレスを含むＥメールは、７件の受信メールであることが分かる。この場合、図４の受信メールは、プロセッサ１０２によって絞り込まれた結果、例えば、図９（ｄ）のように表示される。
【０１２１】
本実施例によれば、以下のような効果を奏する。
【０１２２】
第１の効果は、同じ名前／Ｅメールアドレスであっても複数のグループの設定が可能なことより、目的に合わせた異なった視点で受信メールを絞り込むことができる点である。
【０１２３】
第２の効果は、ホルダーのように受信メールの記録先（格納先）を分けることによって受信メールのグループ分けをしなくて済むので、グループ設定を変更／追加しても、問題なく上記の効果が有効に機能する点である。
【０１２４】
また、同じ人が目的に合わせて複数のＥメールアドレスを使い分けている場合にも、グループをそれぞれのＥメールアドレスごとに設定可能としているので、Ｅメールアドレスごとにグループ分けを行うことが可能となる。
【０１２５】
なお、１つのＥメールアドレスに関連づけるグループ情報の最大値は、３種類に限るものではなく、複数の値であれば、適宜変更可能である。
【０１２６】
また、複数種類のグループ情報は、互いに異なる番号に限るものではなく適宜変更可能である。例えば、複数種類のグループ情報は、互いに異なる文字などの記号でもよい。
【０１２７】
また、上記の実施例において、プロセッサ１０２が、グループ分け情報記録部１１４に、ユーザーにより設定された、メールアドレスおよびキーワードとの組合せに対して複数種類のグループ情報を関連づけたグループ分け情報を記録し、プロセッサ１０２が、ユーザーによって指定された任意のグループ情報（グループ番号）に関連づけられているメールアドレスおよびキーワードとを含むＥメールを受信メール記録部１０７から抽出するようにしてもよい。
【０１２８】
以上説明した実施例において、図示した構成は単なる一例であって、本発明はその構成に限定されるものではない。
【産業上の利用可能性】
【０１２９】
Ｅメールの送受信が可能な携帯電話機やＰＤＡなどの携帯通信端末において、ビジネスやプライベートなど、複数の目的でＥメールを使用する場合の受信メールの管理が容易になる。
【図面の簡単な説明】
【０１３０】
【図１】本発明の一実施例の携帯通信端末を示したブロック図である。
【図２】グループ情報記録部１０５に記録されるグループ内容情報の一例を示した説明図である。
【図３】アドレス帳記録部１０６に記録されるアドレス帳情報の一例を示した説明図である。
【図４】受信メール記録部１０７に記録されるＥメールの一例を示した説明図である。
【図５】Ｅメールとグループ番号の対応関係を説明するための説明図である。
【図６】携帯通信端末の動作を説明するためのフローチャートである。
【図７】携帯通信端末の動作を説明するためのフローチャートである。
【図８】携帯通信端末の動作を説明するためのフローチャートである。
【図９】表示部１１３の表示の一例を示した説明図である。
【符号の説明】
【０１３１】
１０１      携帯通信端末
１０２      プロセッサ
１０３      プログラム記録部
１０３ａ    プログラム
１０４      メモリ
１０４ａ    作業エリア
１０５      グループ情報記録部
１０６      アドレス帳記録部
１０７      受信メール記録部
１０８      回線接続部
１０９      キーイベント処理部
１１０      キー
１１１      画像表示回路
１１２      画像表示部
１１３      表示部
１１４      グループ分け情報記録部
【図１】
2005209106.tif 000003
【図２】
2005209106.tif 000004
【図３】
2005209106.tif 000005
【図４】
2005209106.tif 000006
【図５】
2005209106.tif 000007
【図６】
2005209106.tif 000008
【図７】
2005209106.tif 000009
【図８】
2005209106.tif 000010
【図９】
2005209106.tif 000011